(57)【要約】【課題】使用者の用途に応じて棚板を任意の角度に調整して固定できるとともに、棚の両側から操作できる棚板構造を提供する。【解決手段】平行配置された２本のクランクシャフトと、前記クランクシャフトのクランクピン部に回動可能に支承された棚板と、前記棚板に配置され前記クランクピン部と棚板との間の回動を許可或いは禁止するロック手段とを備え、前記ロック手段を解除することにより、前記棚板を水平から垂直の間の任意の角度に設定し、前記ロック手段によって前記棚板を任意の角度に保持できるので、棚板に物を載せるだけでなく、見易い角度に固定して本やレシピを立て掛けて置いたり、垂直に固定して落下防止部材にキーやアクセサリー等を掛けることもできる。【選択図】図１
2012183098.tif 000002
【特許請求の範囲】
【請求項１】
平行配置された２本のクランクシャフトと、
前記クランクシャフトのクランクピン部に回動可能に支承された棚板と、
前記棚板に配置され前記クランクピン部と棚板との間の回動を許可或いは禁止するロック手段と、
前記棚板の前後端近傍の少なくとも何れか一方に落下防止部材とを備え、
前記ロック手段を解除することにより、前記棚板を水平から垂直の間の任意の角度に設定し、
前記ロック手段によって前記棚板を任意の角度に保持できることを特徴とする棚板構造。
【請求項２】
前記ロック手段は、前記２本のクランクシャフトの双方に作用し、
前記双方のクランクピン部と棚板との間の回動を許可或いは禁止することを特徴とする請求項１に記載の棚板構造。
【請求項３】
前記クランクシャフトは、複数のクランクピン部を備え、
複数の棚板を支承することを特徴とする請求項１または２に記載の棚板構造。
【請求項４】
前記ロック手段は、棚板の前後両側に操作部を備え、棚板の前後何れの側からでも操作可能であることを特徴とする請求項１〜３の何れか１に記載の棚板構造。
【請求項５】
前記ロック手段は、棚板の裏側に操作部を備えたことを特徴とする請求項１〜４の何れか１に記載の棚板構造。
【請求項６】
前記落下防止部材は、前記棚板に対してコ字状に形成されていることを特徴とする請求項１〜５の何れか１に記載の棚板構造。
【発明の詳細な説明】
【技術分野】
【０００１】
この発明は、棚板の角度を任意に変更できるとともに、変更した角度に固定保持することのできる棚板構造に関するものである。
【背景技術】
【０００２】
従来、傾斜可能な棚板構造は、図書館や書店等において、新刊雑誌の表紙を見易く陳列できる表紙見せ棚として機能を有する棚構造が提案されている。
例えば、特許文献１に示すように左右の側板の対向する内面の前後部に設けられたほぼ等高の受け具に、扇形のブラケットを係着し、この左右のブラケット間に棚板を支持する棚装置であって、扇形ブラケットの要位置に設けた凹溝と、扇形ブラケットの後方円弧状部に設けた複数の外向き凹溝の何れか一個とに受け具をそれぞれ係着して、棚板の傾斜角度を変更できる棚構造が開示されております。
【先行技術文献】
【特許文献】
【０００３】
【特許文献１】特開２００９−１７２３０８号公報
【発明の概要】
【発明が解決しようとする課題】
【０００４】
しかし、特許文献１に開示された従来の棚板構造は、棚の一側面方向からしか角度調整ができないとともに、一方向に傾けることしかできなかった。また、一定の角度調整を想定している為に、許容幅までの角度調整しかできないと云う欠点が存在した。
【０００５】
この発明は、上記したような不都合を解消する為になされたもので、平行配置された２本のクランクシャフトのクランクピン部に回動可能に支承された棚板と、前記棚板に配置され前記クランクピン部と棚板との間の回動を許可或いは禁止するロック手段とを設け、使用者の用途に応じて棚板の角度調整を可能とするとともに、何れの方向にも傾斜させることができ、棚板の両側から操作することのできる棚板構造を提供するものである。
【課題を解決するための手段】
【０００６】
この発明は、以下のような内容である。
（１）平行配置された２本のクランクシャフトと、前記クランクシャフトのクランクピン部に回動可能に支承された棚板と、前記棚板に配置され前記クランクピン部と棚板との間の回動を許可或いは禁止するロック手段と、前記棚板の前後端近傍の少なくとも何れか一方に落下防止部材とを備え、前記ロック手段を解除することにより、前記棚板を水平から垂直の間の任意の角度に設定し、前記ロック手段によって前記棚板を任意の角度に保持できることを特徴とする。
（２）（１）に記載の棚板構造において、前記ロック手段は、前記２本のクランクシャフトの双方に作用し、前記双方のクランクピン部と棚板との間の回動を許可或いは禁止することを特徴とする。
（３）（１）または（２）に記載の棚板構造において、前記クランクシャフトは、複数のクランクピン部を備え、複数の棚板を支承することを特徴とする。
（４）（１）から（３）に記載の棚板構造において、前記ロック手段は、棚板の前後両側に操作部を備え、棚板の前後何れの側からでも操作可能であることを特徴とする。
（５）（１）から（４）に記載の棚板構造において、前記ロック手段は、棚板の裏側に操作部を備えたことを特徴とする。
（６）（１）から（５）に記載の棚板構造において、前記落下防止部材は、前記棚板に対してコ字状に形成されていることを特徴とする。
【発明の効果】
【０００７】
この発明によれば、平行配置された２本のクランクシャフトと、前記クランクシャフトのクランクピン部に回動可能に支承された棚板と、前記棚板に配置され前記クランクピン部と棚板との間の回動を許可或いは禁止するロック手段と、前記棚板の前後端近傍の少なくとも何れか一方に落下防止部材とを備え、前記ロック手段を解除することにより、前記棚板を水平から垂直の間の任意の角度に設定し、前記ロック手段によって前記棚板を任意の角度に保持できるので、クランクシャフトを回動させることで、棚板を上下前後方向に平行移動できるとともに、その位置で固定することができる。また、棚板を傾けても落下防止部材により物品が落下する虞れがなく、種々の使用方法を実践することができる。
そして、前記ロック手段は、前記２本のクランクシャフトの双方に作用し、前記双方のクランクピン部と棚板との間の回動を許可或いは禁止するので、棚板の前後いずれの方向から操作しても用途に応じて任意の角度で固定することができる。
また、前記クランクシャフトは、複数のクランクピン部を備え、複数の棚板を支承するので、多数の棚板を備えた棚を構成するとともに、キッチン等に設置することにより、キッチンとリビングとの隔たりを無くして、グラデーションのように繋ぐことができる。
さらに、前記ロック手段は、棚板の前後両側に操作部を備え、棚板の前後何れの側からでも操作可能であるので、棚板の角度を変更する際の操作性を向上することができる。
また、前記ロック手段は、棚板の裏側に操作部を備えたので、棚板の表面に物を載置する場合に邪魔になることがないとともに、棚板の裏側に指を廻すことにより容易にロック手段を操作して棚板の角度を調整できる。
また、前記落下防止部材は、前記棚板に対してコ字状に形成されているので、棚板を傾斜させても載置物が落下するのを阻止することができる。
【図面の簡単な説明】
【０００８】
【図１】図１は、この発明の一実施の形態を示す棚板構造の全体斜視図である。
【図２】図２は、同棚板構造において棚板を傾斜させた状態を示す全体斜視図である。
【図３】図３は、同棚板構造に使用されるロック手段の構造及び作動状態を示す説明図である。
【図４】図４は、ロック手段の構造を示す要部拡大説明図である。
【図５】図５は、同棚板構造の一部を切り欠いた側面図である。
【図６】図６は、図４の棚板を傾斜させた状態を示す側面図である。
【図７】図７は、図４の棚板を垂直にした状態を示す側面図である。
【図８】図８は、同棚板構造の使用態様の一例を示す説明図である。
【図９】図９は、同棚板構造の使用態様の一例を示す説明図である。
【図１０】図１０は、同棚板構造の使用態様の一例を示す説明図である。
【図１１】図１１は、同棚板構造の他の使用態様を示す説明図である。
【発明を実施するための最良の形態】
【０００９】
本発明は、平行配置された２本のクランクシャフトと、このクランクシャフトのクランクピン部に回動可能に支承された棚板と、棚板に配置されクランクピン部と棚板との間の回動を許可或いは禁止するロック手段と、棚板の前後端近傍の少なくとも何れか一方に落下防止部材とを備え、ロック手段を解除することにより、棚板を水平から垂直の間の任意の角度に設定し、ロック手段によって棚板を任意の角度に保持できるので、使用者の用途に応じて棚板を任意の角度に調整して固定できるとともに、棚の両側から操作できる。
【実施例１】
【００１０】
以下、一実施の形態を示す図面に基づいて本発明を詳細に説明する。図１はこの発明の一実施の形態を示す棚板構造の全体斜視図、図２は本発明の棚板構造において棚板を傾斜させた状態を示す全体斜視図である。ここで棚板構造１０は、平行配置された２本のクランクシャフト１１、１２と、前記クランクシャフト１１、１２のクランクピン部１１ａ、１２ａに回動可能に支承された棚板１３と、前記棚板１３に配置され前記クランクピン部１１ａ、１２ａと棚板１３との間の回動を許可或いは禁止するロック手段１４と、前記棚板１３の前後端近傍の少なくとも何れか一方に落下防止部材１５とを備えている。
【００１１】
また、クランクシャフト１１、１２は、平行に対向配置された側板１６、１６間にクランクジャーナル部１１ｂ、１２ｂで回動自在に支承されている。クランクシャフト１１、１２は、クランクピン部１１ａ、１２ａ、クランクジャーナル部１１ｂ、１２ｂ、クランクアーム部１１ｃ，１２ｃとから構成されており、各部はそれぞれ直角に折曲されている。
【００１２】
ロック手段１４は、棚板１３の内部に配置されており、クランクピン部１１ａ、１２ａと棚板１３との間の回動を許可或いは禁止することができる。具体的には、図３に示すようにロック手段１４は、クランクピン部１１ａに固定された固定ギア１７と固定ギアと対向配置された移動ギア１８と、移動ギア１８を駆動するカム板１９と、カム板１９に連設されるとともに一部が棚板１３の裏面から突出した操作片２０と、左右のカム板１９を連結するリンク機構２１と、前記固定ギア１７と移動ギア１８とが噛み合う方向に付勢するバネ２２から構成されている。
【００１３】
図４は、ロック手段の構造を示す要部拡大説明図である。ここで、固定ギア１７は、クランクピン部１１ａに歯合面１７ａを軸線方向内向き固定されている。移動ギア１８は、歯合面１８ａを歯合面１７ａと対向クランクピン部１１ａに移動可能に配設されている。また、移動ギア１８は、クランクピン部１１ａに移動可能に挿通された筒体２３の先端に取り付けられるとともに、筒体２３の後端にはピン２４が立設されている。更に、ピン２４は、カム板１９にクランクピン部１１ａの軸線に対して斜めに形成されたカム孔２５に挿通されている。カム孔２５は、ハ字状にカム板１９に形成されている。したがって、カム板１９と連結された操作片２０を矢印Ａ方向に操作することにより、筒体２３及び移動ギア１８が矢印Ｂ方向に後退して、固定ギア１７との歯合が解除される。棚板１３の他端に設けられた固定ギア１７、移動ギア１８、筒体２３、ピン２４，カム孔２５も対称に配設されており、操作片２０を矢印Ａ方向に操作することにより、筒体２３及び移動ギア１８が矢印Ｂ方向に後退して、固定ギア１７との歯合が解除される。
【００１４】
クランクピン部１２ａにも同様に固定ギア１７、移動ギア１８、筒体２３、ピン２４、カム孔２５が配設されており、操作片２０を操作することにより、筒体２３及び移動ギア１８が後退して、固定ギア１７との歯合が解除される。また、クランクピン部１１ａ側に配設されたカム板１９とクランクピン部１２ａ側に配設されたカム板１９とは、リンク機構２１によって連結されている。
【００１５】
リンク機構２１は、ほぼ棚板１３の中央に回動可能に軸支された中央アーム２６と、中央アーム２６の両端に一端が連結され他端がカム板１９に連結された連結アーム２７と、中央アーム２６に一端が連結され他端が棚板１３の一部に連結されカム板１９を介して固定ギア１７と移動ギア１８が歯合する方向に付勢するバネ２２とから構成されている。したがって、何れか一方の操作片２０を操作することにより、他方のカム板１９を操作することができる。つまり、棚板１３の前後何れか一方から操作しても、ロック手段１４を解除することにより、棚板１３を水平から垂直の間の任意の角度に設定し、ロック手段１４をセットすることによって前記棚板を任意の角度に保持できる。
【００１６】
棚板１３の上面で前後端近傍に落下防止部材１５が立設されている。また、落下防止部材１５は、棚板１３に対してコ字状に形成されている。つまり、落下防止部材１５は、棒状部材が棚板の左右端近傍から立ち上がり、内側に湾曲した後、所定の高さで水平に延設されて構成されている。更に、落下防止部材１５は、棚板１３の上面で前後端近傍を隆起させて構成してもよい。
【００１７】
以上の様に構成された棚板構造の動作について図５〜図７に従って説明する。先ず、棚板１３の裏面に配設された操作片２０を引くことにより、ロック手段１４が解除されクランクシャフト１１、１２に対して自在に回動することができる。したがって、図２、６に示すように棚板１３を傾斜させ、所望の角度で保持することができる。また、図７に示すように棚板１３を垂直にして保持することもできる。
【００１８】
図８〜図１１は、クランクシャフト１１０、１２０が、複数のクランクピン部１１０ａ、１２０ａを備え、複数の棚板１３を支承して平行配置された側板１６に取り付けられた例を示すものである。
このように構成された棚板構造１０は、図８に示すように棚板１３を水平状態のまま高さを変更して、ワイン瓶２８、ワイングラス２９、陶器３０を段違状にデスプレイすることができる。また、図９に示すように棚板１３を斜めにして雑誌３１を飾ったり、レシピを置いてキッチンから見ることができる。更に、図１０に示すように棚板１３を略垂直にして落下防止部材１５にアクセサリー３２やキー３３を掛けることができる。
【００１９】
図１１は、本発明の棚板構造の他の使用態様である、クランクシャフト１１０、１２０が、複数のクランクピン部１１０ａ、１２０ａを備え、複数の棚板１３を支承する場合の全体を示す説明図である。このような棚板構造をキッチンとリビングの間に設置することにより、棚の両側から操作ができ、隔たりを解消することができる。
【００２０】
上記した実施の形態において、棚板のロック手段の解除機構を固定ギアと移動ギアを使用した例を示したが、これに限ることなく他のクラッチ機構を適用してもよい。
【００２１】
また、本発明は上述の実施例に限定されることなく、特許請求の範囲の記載に基づいて種々の設計変更が可能である。
【符号の説明】
【００２２】
１０    棚板構造
１１、１１０  クランクシャフト
１１ａ  クランクピン部
１１ｂ  クランクジャーナル部
１１ｃ  クランクアーム部
１２、１２０  クランクシャフト
１２ａ  クランクピン部
１２ｂ  クランクジャーナル部
１２ｃ  クランクアーム部
１３    棚板
１４    ロック手段
１５    落下防止部材
１６    側板
１７    固定ギア
１７ａ  歯合面
１８    移動ギア
１８ａ  歯合面
１９    カム板
２０    操作片
２１    リンク機構
２２    バネ
２３    筒体
２４    ピン
２５    カム孔
２６    中央アーム
２７    連結アーム
２８    ワイン瓶
２９    ワイングラス
３０    陶器
３１    雑誌
３２    アクセサリー
３３    キー
【図１】
2012183098.tif 000003
【図２】
2012183098.tif 000004
【図３】
2012183098.tif 000005
【図４】
2012183098.tif 000006
【図５】
2012183098.tif 000007
【図６】
2012183098.tif 000008
【図７】
2012183098.tif 000009
【図８】
2012183098.tif 000010
【図９】
2012183098.tif 000011
【図１０】
2012183098.tif 000012
【図１１】
2012183098.tif 000013